(57)【要約】【課題】原稿載置台上に置かれた原稿の角部や周辺部に原稿位置指定を表示して原稿位置の指示を認識しやすくし、しかも原稿走査時には原稿位置指定が読み取られることのない機構を実現する。【解決手段】原稿を載置する原稿載置台と、原稿を読み取る読取部を有し原稿載置台に対して原稿と反対の側に配置されて走査始端から走査終端へ移動しながら原稿を読み取る原稿走査部と、原稿走査部の移動に伴って回動し、その回動軸方向が走査方向と直交する巻取り軸部と、複数サイズの原稿に対する原稿載置位置またはスケールを付し、一端を原稿走査部上の読取部よりも走査終端側に接続し、他端を巻き取り軸部に接続して原稿走査部の走査終端側への走査に伴って巻き取り軸部に巻き取られる原稿位置指定部材とを備えることを特徴とする原稿読取装置。【選択図】図１
2007003695.tif 000002
【特許請求の範囲】
【請求項１】
原稿を載置する原稿載置台と、
原稿を読み取る読取部を有し原稿載置台に対して原稿と反対の側に配置されて走査始端から走査終端へ移動しながら原稿を読み取る原稿走査部と、
原稿走査部の移動に伴って回動しその回動軸方向が走査方向と直交する巻取り軸部と、
複数サイズの原稿に対する原稿載置位置またはスケールを付し、一端を原稿走査部上の読取部よりも走査終端側に接続し、他端を巻き取り軸部に接続して原稿走査部の走査終端側への走査に伴って巻き取り軸部に巻き取られる原稿位置指定部材とを備えることを特徴とする原稿読取装置。
【請求項２】
原稿走査後に原稿走査部を所定位置に停止させる原稿走査制御部をさらに備える請求項１記載の原稿読取装置。
【請求項３】
前記原稿走査制御部が、原稿位置指定部材の一端が原稿載置台の走査始端側の端よりもさらに走査始端側の所定位置に停止させる請求項２記載の原稿読取装置。
【請求項４】
前記巻き取り軸部が、原稿走査部が前記所定位置にあるときに原稿位置指定部材にテンションをかけるバネ部材を有する請求項１記載の原稿読取装置。
【請求項５】
原稿位置指定部材が、シート状の部材である請求項１記載の原稿読取装置。
【請求項６】
原稿位置指定部材が、複数本の帯状の部材からなり、各部材の一端が原稿走査部に、他端が巻き取り軸部に接続されている請求項１記載の原稿読取装置。
【請求項７】
請求項１に記載の原稿読取装置を備えてなる画像形成装置。
【発明の詳細な説明】
【技術分野】
【０００１】
この発明は、原稿位置指定部材を備える原稿読取装置およびそれを備えてなる画像形成装置に関する。
【背景技術】
【０００２】
原稿画像を読み取るための原稿読取装置、いわゆるスキャナには、主としてブック原稿などの原稿を読み取るための原稿載置台を備えたものがある。このような原稿読取装置では、ガラス等の透明な部材からなる原稿載置台にその読取面を当接させるように原稿を置く。原稿載置台の下側には原稿載置台の表面と平行に移動可能な走査部があり、原稿の読み取り面を露光ランプで照射しつつ走査し、原稿からの反射光をＣＣＤなとのイメージセンサで読み取る。
【０００３】
原稿のサイズに応じた領域だけを読み取るために、原稿サイズを検知する機能を備えたものもある。あるいは、読取領域のサイズをユーザに指定させるものもある。いずれのものも、原稿載置台よりも小さなサイズの原稿を読み取る際に、使用者が基準位置に原稿を置くように指示するマークが原稿載置台の周辺に付されている。あるいは、変倍やトリミングなどの編集処理を行う場合に使用者が目安にするようにスケールを原稿載置台の周辺に付したものがある。
【０００４】
しかし、原稿載置台の周辺に基準位置のマークやスケール、（以下、これらを原稿位置指定という）を付しただけでは、使用者が付されたマークの意味を瞬時に把握するうえで必ずしも満足できるものとはいえない。また、小さなサイズの原稿では、原稿載置台の周辺に付されたスケールからの距離が長く使いにくい。
【０００５】
そこで、例えば、前記のスケールを原稿載置台上の原稿を押さえるための原稿圧板の上面に付すことによって使い勝手の改善を意図したものが知られている（例えば、特許文献１参照）。
【特許文献１】特開平０２−０５０１７７号公報
【発明の開示】
【発明が解決しようとする課題】
【０００６】
原稿を置く基準位置のマークは、原稿の四隅もしくは少なくともそのうちの３つの位置を指示することがわかりやすさの点で好ましい。しかし、特に中央部基準で原稿載置台上に原稿を置く場合、原稿載置台の周辺だけでは、そのような指示を表示することができない。スケールについても、原稿の端部にスケールを配置することがわかりやすさの点で好ましい。指示を表示する場所を原稿載置台の周辺に限ると、前述の好適な条件を実現することができない。
【０００７】
また、スケールは原稿圧板の上面に付すことができても、原稿載置台上に原稿を置く基準位置のマークにはこの手法を適用することができない。原稿を置く場合は原稿圧板が開けられているからである。スケールの使用についても、計測した原稿を改めて原稿載置台上に置かなければならないので手間がかかる。
【０００８】
原稿載置台上に置かれた原稿の角部や周辺部に原稿位置指定を表示して原稿位置の指示を認識しやすくし、しかも原稿走査時には原稿位置指定が読み取られることのない機構が望まれている。
【０００９】
そこで、本発明は、原稿載置台の下方に配置され、その表面に原稿位置指定が付されて巻き取り可能な原稿位置指定部材を備える原稿読取装置を提供するものである。
【課題を解決するための手段】
【００１０】
この発明は、原稿を載置する原稿載置台と、原稿を読み取る読取部を有し原稿載置台に対して原稿と反対の側に配置されて走査始端から走査終端へ移動しながら原稿を読み取る原稿走査部と、原稿走査部の移動に伴って回動し、その回動軸方向が走査方向と直交する巻取り軸部と、複数サイズの原稿に対する原稿載置位置またはスケールを付し、一端を原稿走査部上の読取部よりも走査終端側に接続し、他端を巻き取り軸部に接続して原稿走査部の走査終端側への走査に伴って巻き取り軸部に巻き取られる原稿位置指定部材とを備えることを特徴とする原稿読取装置を提供する。
【発明の効果】
【００１１】
この発明の原稿読取装置は、複数サイズの原稿に対する原稿載置位置またはスケールを付し、一端を原稿走査部上の読取部よりも走査終端側に接続し、他端を巻き取り軸部に接続して原稿走査部の走査終端側への走査に伴って巻き取り軸部に巻き取られる原稿位置指定部材を備えるので、原稿載置台上に置かれた原稿の角部や周辺部に原稿位置指定を表示することができ、しかも原稿を走査するときには原稿走査部の移動に伴って巻き取られ、読取部の原稿読み取りを邪魔しない機構を実現することができる。換言すれば、巻き取り軸部の巻き取り動作を走査部の走査と連動させることにより、原稿を原稿載置台上に置く時には、原稿位置指定部材が原稿載置台の下方の走査領域に位置し、原稿位置指定部材に付された原稿位置指定によって原稿の位置決めが容易になる。一方、原稿の読取時には走査部と連動して原稿位置指定部材が巻き取られることによって、読取部が原稿を読み取る光路を遮ることがない。
【００１２】
ここで、原稿載置台は、ガラスなどの透明な部材であってその上面に原稿を載置して固定し得る剛性と強度をもっていることが好ましい。原稿走査部は、原稿を走査して読み取る部位であって、原稿載置台上に置かれた原稿の読取面を照射するための露光ランプと読取部とを有していてもよい。前記読取部は、原稿の読取面で反射した照射光を受光する密着型イメージセンサと当該イメージセンサに照射光を結像させる結像レンズとを有していてもよい。あるいは、原稿読取の光学系が縮小光学系であり、読取部は、原稿からの反射光を透過させてイメージセンサへ導く縮小光学系の一部を構成するスリットと反射ミラーであってもよい。この場合、縮小光学系の他の部分を構成するやイメージセンサは原稿読取装置の本体に固定され、さらに縮小光学系の他の部分を構成する反射ミラーが読取部の半分の速度で移動し、走査部が移動しても縮小光学系の光路長を一定に保つように構成されていてもよい。
【００１３】
原稿位置指定部材は、例えばシート状の樹脂であってもよく、樹脂の材質としてポリエチレン、ポリプロピレン、ポリイミドなどが適用可能であるが、これらの材質に限定されるものではなく、適度な強度をもった材質であれば他の樹脂あるいは樹脂以外の材質でああってもよい。
【００１４】
原稿走査後に原稿走査部を所定位置に停止させる原稿走査制御部をさらに備えていてもよい。このようにすれば、原稿の走査が終了し、新たな原稿を原稿載置台におくときには、原稿走査部が所定位置にあるので、原稿位置指定を常に一定の位置に表示させることができる。
【００１５】
さらに、前記原稿走査制御部が、原稿位置指定部材の一端が原稿載置台の走査始端側の端よりもさらに走査始端側の所定位置に停止させるようにしてもよい。このようにすれば、原稿位置指定部材が、原稿載置台の走査始端側の端にも配置されるので、走査始端側の端付近にも原稿位置指定を配置することができる。
【００１６】
また、前記巻き取り軸部が、原稿走査部が前記所定位置にあるときに原稿位置指定部材にテンションをかけるバネ部材を有していてもよい。このようにすれば、原稿位置指定部材がたるまないので、原稿位置指定の位置精度が向上する。
【００１７】
原稿位置指定部材が、シート状の部材であってもよい。あるいは、原稿位置指定部材が、複数本の帯状の部材からなり、各部材の一端が原稿走査部に、他端が巻き取り軸部に接続されていてもよい。
また、この発明は、前記の原稿読取装置を備えてなる画像形成装置を提供する。
【発明を実施するための最良の形態】
【００１８】
以下、図面を用いてこの発明をさらに詳述する。以下の説明により、この発明をよりよく理解することが可能であろう。なお、以下の説明は、すべての点で例示であって、制限的なものではないと考えられるべきである。
はじめに、この発明の原稿読取装置の構成の一例について説明する。
図１は、この発明の原稿読取装置の全体の構成の一例を示す説明図である。
【００１９】
原稿読取装置３の各構成要素は、直方体形状の筐体３００の内部に収容される。筐体３００の上面には原稿載置台である露光テーブル３０が設けられている。また、筐体３００の長手方向の側壁の内側には、一対の第１ガイド部材３０１Ａ，３０１Ｂが形成され、それらの下方に第２ガイド部材３０２Ａ，３０２Ｂが形成される。第１ガイド部材３０１Ａ，３０１Ｂは第１走査ユニット３１を案内するガイドであり、第２ガイド部材３０２Ａ，３０２Ｂは第２走査ユニット３２を案内するガイドである。また、筐体３００の長手方向の側壁の内側に、固定プーリー３０６Ａ，３０６Ｂが回転自在に設けられる。さらに、固定プーリー３０６Ａ，３０６Ｂと同軸上に補助プーリー３１５Ａ，３１５Ｂが回転自在に設けられる。
【００２０】
筐体３００の長手方向の端部には、駆動軸３０５が設けられる。駆動軸３０５は、筐体３００の短手方向に沿うように配置され、筐体３００によって回転自在に保持される。駆動軸３０５の両端部近傍にはそれぞれワイヤ駆動プーリー３０７Ａ，３０７Ｂが取り付けられる。ワイヤ駆動プーリー３０７Ｂと駆動軸３０５の一端との間に、駆動伝達プーリー３０８が設けられる。
【００２１】
原稿読取装置３は、駆動源としての走査部駆動モータ３０４を備える。走査部駆動モータ３０４は、ステッピングモータであって、図示しない制御回路によってその回転が制御される。制御回路は、ステッピングモータを駆動する駆動回路、走査部の位置を検知する図示しない走査部位置検知センサからの信号を入力する入力回路、ステッピングモータの制御を処理するマイクロコンピュータ、マイクロコンピュータが実行するモータ駆動制御をはじめとする制御プログラムを格納するＲＯＭ、ワークエリアを提供するＲＡＭを含む回路素子から構成される。走査部駆動モータ３０４の出力軸には出力ギア３１０Ｂが設けられる。さらに、この出力ギア３１０Ｂに噛み合うように、ギアとプーリーが一体成形されたギア・プーリー３１０Ａが設けられる。ギア・プーリー３１０Ａは、筐体３００の長手方向の一側壁の内側に回転自在に保持されており、タイミングベルト３１０Ｃを介して上述の駆動伝達プーリー３０８に接続される。
【００２２】
駆動軸３０５におけるワイヤ駆動プーリー３０７Ａ，３０７Ｂには、第１走査ユニット３１および第２走査ユニット３２に駆動力を伝えるワイヤ３１３Ａ，３１３Ｂが巻き付けられており、走査部駆動モータ３０４の回転に伴って、第１走査ユニット３１および第２走査ユニット３２が駆動されて移動する。第２走査ユニット３２は、第１走査ユニット３１の１／２の移動速度で移動し、第１走査ユニット３１からの光を光電変換素子３４に案内する。結像レンズ３３は、原稿からの反射光を光電変換素子３４に結像させる。
【００２３】
第１走査ユニット３１には、シート状の原稿位置指定部材３６７の一端が取り付けられている。原稿位置指定部材３６７の他端は、テンションスプリング３６３Ａ，３６３Ｂを介して巻き取り軸部３６１に接続されている。巻き取り軸部３６１の軸の一端には、プーリー３５３が取り付けられており、タイミングベルト３５７を介して巻取りモータ３５０の駆動シャフトに取り付けられたプーリー３５３に接続される。従って、巻取りモータ３５０の駆動シャフトの回転は、プーリー３５３、タイミングベルト３５７、プーリー３５５を介して巻き取り軸部３６１に伝えられる。
【００２４】
図７は、原稿位置指定部材３６７がテンションスプリング３６３Ａを介して巻き取り軸部３６１に接続される部分の詳細を示す斜視図である。図７に示すように、テンションスプリング３６３Ａは、原稿位置指定部材３６７が巻き取られたときに巻取り軸部３６１の凹部に収容されて原稿位置指定部材３６７の表面を傷つけず、かつ巻取り軸部３６１の巻取り径が一定するように取り付けられる。
【００２５】
巻取りモータ３５０は、ステッピングモータであり、図示しない制御回路によってその回転が制御される。前記制御回路は、走査部駆動モータ３０４を駆動する制御回路である。走査部駆動モータ３０４と巻取りモータ３５０とは原稿走査時の回転を同期させ、原稿位置指定部材３６７が、そのテンションによって走査部駆動モータに負荷を与えない程度のたるみをもたせて巻取り軸部３６１に巻き取られるように制御される。
【００２６】
あるいは、第１走査ユニットおよび第２走査ユニットと巻取り軸部３６１の駆動を１つの駆動モータからとるようにしてもよい。
【００２７】
第１走査ユニット３１は、走査終了後、露光テーブル３０の走査始端側の端よりさらに奥（図１（ｂ）の左側）に配置されたシェーディング補正用白板３５の直下に停止するように前記マイクロコンピュータによって制御される。また、第１走査ユニット３１がシェーディング補正用白板３５下の所定位置に停止した状態で、原稿位置持部材３６７にテンションがかかってたるみが除かれるように、巻取りモータ３５０の駆動シャフトの停止位置が制御される。巻取り軸部３６１には前記テンションのかかりを検知するために、テンションスプリング３６３Ａあるいは３６３Ｂの伸びを検知する図示しないセンサが配置されていてもよい。前記センサの検知信号は、制御回路の入力回路に接続され、前記マイクロコンピュータの制御に用いられる。
【００２８】
図１（ａ）で、原稿位置指定部材３６７はシート状の形態であり、その表面に格子状のスケールが付された例を示している。
【００２９】
図２は、図１の露光テーブル３０の上に原稿を置いた状態を上側から見た状態示している。図２に示すように、露光テーブル３０の下には、スケールの付された原稿位置指定部材３６７が露光ガラス３０の全面に渡って延びており、置かれた原稿で覆われない部分に格子状のスケールおよびスケールと共に付された数値が見える。露光テーブル３０の周辺にも数値が付されているが、原稿の縁から格子状の線に視線を沿わせて周辺の数値を参照できるので、認識が容易である。
【００３０】
次に、原稿位置指定部材３６７に表示する指示の異なる態様について説明する。
図３は、原稿を置くべき位置を原稿位置指定部材３６７の表面に付した例を示す説明図である。図３のようにセンター基準で原稿を載置する画像形成装置の場合であっても、原稿の四隅に指示を表示することができる。原稿載置台に図３に示すような指示が表示されていれば、たとえば葉書サイズの原稿を載置する場所をユーザは容易に認識することができるので、原稿を置く場所に戸惑うことがない。
【００３１】
原稿位置指定部材３６７の表面に付す指示の態様は、図３のように四隅に表示するだけでなく、原稿の枠を囲むようにしたり、色分けして表示するなど視認性を上げるために種々の工夫を凝らすことができる。
【００３２】
また、原稿位置指定部材３６７が露光テーブル３０の全面をカバーするものでなくてもよい。図４は、原稿位置指定部材３６７が露光テーブル３０の手前側に指示を表示するようにした例を示す説明図である。図４のように露光テーブル３０の一部だけに原稿位置指定を表示するように構成すれば、原稿位置指定部材３６７の幅が狭くてもよいので、巻取り機構の負荷を軽減することができる。
【００３３】
さらに、原稿位置指定部材３６７が、複数の帯状の部材からなっていてもよい。図５は、原稿位置指定部材３６７が複数の帯状の部材からなり、各部材の表面に指示を表示するようにした例を示す説明図である。巻取り軸部分には、各部材を巻き取るためのプーリーを取り付けておけばよい。
【００３４】
また、図６は、この発明の原稿読取装置を備えた画像形成装置の一例としての複合機を示す断面図である。図６に示すように、画像形成装置１は、プリンタ２、スキャナ装置３、自動原稿搬送装置４、シート後処理装置５、多段給紙ユニット６、システムラック７、および中継搬送ユニット８を備える。スキャナ装置３は、この発明の原稿読取装置である。
プリンタ２は、スキャナ装置３が読み取った原稿の画像情報に係る画像データ、またはパーソナルコンピュータ等の外部機器から入力された画像データに基づき画像形成処理を行う。
【００３５】
プリンタ２の中央右側部には電子写真プロセス部２０が配置される。電子写真プロセス部２０は、ドラム状の感光体２００を備える。この感光体２００の周囲に、帯電ローラ、光走査ユニット２２、現像ユニット２０２、転写ユニット、クリーニングユニット、および図示しない除電ランプユニットが配置される。帯電ローラは、感光体２００表面を均一に帯電させる。光走査ユニット２２は、均一に帯電された感光体２００上を走査して静電潜像を書き込む。現像ユニット２０２は、光走査ユニット２２により書き込まれた静電潜像を現像剤により顕像化する。転写ユニットは、感光体２００上に形成された現像剤像を用紙上に転写する。クリーニングユニットは、感光体２００上に残留した現像剤を除去して感光体２００上に新たな画像を記録することを可能にする。除電ランプユニットは、感光体２００表面の電荷を除去する。
【００３６】
電子写真プロセス部２０の上方には、定着装置２３が配置される。定着装置２３は、用紙を加圧および加熱することによって、用紙に転写された未定着の現像剤像を用紙面に定着させる。用紙搬送方向における定着装置２３の下流側には、図１に示すように、排出ローラ２８および中継搬送ユニット８が配置される。
【００３７】
電子写真プロセス部２０の下方には、図１に示すように、プリンタ２本体内に内装された用紙供給部２１が配置される。用紙供給部２１は、用紙収容トレイ２１０および分離供給手段２１１を備える。用紙収容トレイ２１０は、プリンタ２の電子写真プロセス部２０に供給すべき用紙を収容する。分離供給手段２１１は、用紙収容トレイ２１０に収容された用紙を１枚ずつ分離して電子写真プロセス部２０へと送り出す。
【００３８】
光走査ユニット２２の上下空間部に、機構制御部２４、画像制御部２５、および電源ユニット２６が配置される。機構制御部２４は、前記原稿走査制御部の機能を含み、スキャナ装置３およびプリンタ２の動作および電子写真プロセスをコントロールするプロセスコントロールユニット（ＰＣＵ）基板、および装置外部からの画像データを受け入れるインターフェイス基板を収容する。画像制御部２５は、イメージコントロールユニット（ＩＣＵ）基板を備える。ＩＣＵ基板は、インターフェイス基板から受け入れられた画像データに対して所定の画像処理を施すとともに、画像処理が施された画像データを光走査ユニット２２に供給する。電源ユニット２６は、画像形成装置１の各部に電力を供給する。
【００３９】
最後に、前述した実施の形態の他にも、この発明について種々の変形例があり得ることは明らかである。そのような変形例は、この発明の特徴及び範囲に属さないと解釈されるべきものではない。本発明の範囲には、特許請求の範囲と均等の意味および範囲内でのすべての変更とが含まれることが意図される。
【図面の簡単な説明】
【００４０】
【図１】この発明の原稿読取装置の全体の構成の一例を示す説明図である。
【図２】図１の原稿読取装置の露光テーブル３０の上に原稿を置いた状態を上側から見た状態示している。
【図３】原稿を置くべき位置を図１の原稿位置指定部材３６７の表面に付した例を示す説明図である。
【図４】図１の原稿位置指定部材３６７が露光テーブル３０の手前側に指示を表示するようにした例を示す説明図である。
【図５】図１の原稿位置指定部材３６７が複数の帯状の部材からなり、各部材の表面に指示を表示するようにした例を示す説明図である。
【図６】この発明の原稿読取装置を備えた画像形成装置の一例としての複合機を示す断面図である。
【図７】図１の原稿位置指定部材３６７がテンションスプリング３６３Ａを介して巻き取り軸部３６１に接続される部分の詳細を示す斜視図である。
【符号の説明】
【００４１】
３    原稿読取装置、スキャナ装置
３０    露光テーブル
３１    第１走査ユニット
３２    第２走査ユニット
３３    結像レンズ
３４    光電変換素子
３００    筐体
３０１Ａ、３０１Ｂ  第１ガイド部材
３０２Ａ，３０２Ｂ  第２ガイド部材
３０４    走査部駆動モータ
３０５    駆動軸
３０６Ａ、３０６Ｂ  固定プーリー
３０７Ａ、３０７Ｂ  ワイヤ駆動プーリー
３０８    駆動伝達プーリー
３１０Ａ  ギア・プーリー
３１０Ｂ  出力ギア
３１０Ｃ  タイミングベルト
３１３Ａ，３１３Ｂ  ワイヤ
３１５Ａ、３１５Ｂ  補助プーリー
３５０    巻取りモータ
３５３，３５５    プーリー
３５７    タイミングベルト
３６１    巻取り軸部
３６３Ａ，３６３Ｂ  テンションスプリング
３６７    原稿位置指定部材
【図１】
2007003695.tif 000003
【図２】
2007003695.tif 000004
【図３】
2007003695.tif 000005
【図４】
2007003695.tif 000006
【図５】
2007003695.tif 000007
【図６】
2007003695.tif 000008
【図７】
2007003695.tif 000009